(57)【特許請求の範囲】
【請求項１】
被写体の光学像を映像信号に変換する撮像手段と、
前記撮像手段から出力される映像信号の映像を表示する表示手段と、
前記撮像手段が光学像を取得する際の被写界深度を算出する算出手段と、
前記算出手段が算出した被写界深度に応じて、前記撮像手段から得られる映像に含まれる被写体のエッジを検出するための周波数帯域を決定する帯域決定手段と、
前記帯域決定手段により決定された周波数帯域に基づき、前記撮像手段から取得した映像信号からエッジ成分を検出するエッジ検出手段と、
前記表示手段に表示される前記映像に対して前記エッジ検出手段が検出したエッジ成分に基づく合焦表示を行う表示制御手段と、を備え、
前記帯域決定手段は、前記周波数帯域を前記被写界深度が深い場合に狭め、前記被写界深度が浅い場合に広げることを特徴とする撮像装置。
【請求項２】
前記撮像手段が前記光学像を取得する際の被写界深度を決定する要素の設定を変更する変更手段を備え、
前記算出手段は、前記変更手段の設定を取得して前記被写界深度を算出することを特徴とする請求項１に記載の撮像装置。
【請求項３】
前記変更手段は、光学ズーム、焦点距離、絞り値、デジタルズームのいずれかの設定を変更することを特徴とする請求項２に記載の撮像装置。
【請求項４】
前記表示制御手段は、前記映像に対して合焦領域を示す枠を重畳表示することにより前記合焦表示を行うことを特徴とする請求項１乃至３のいずれか１項に記載の撮像装置。
【請求項５】
前記表示制御手段は、前記映像における合焦領域にある被写体のエッジを強調表示することにより前記合焦表示を行うことを特徴とする請求項１乃至３のいずれか１項に記載の撮像装置。
【請求項６】
前記撮像手段から出力される映像信号を記憶する記憶手段を備え、
前記エッジ検出手段は、前記記憶手段に記憶される映像信号の解像度と同じ解像度の映像信号からエッジ成分を検出することを特徴とする請求項１乃至５のいずれか１項に記載の撮像装置。
【請求項７】
前記エッジ検出手段は、前記撮像手段から出力される最大の解像度を有する映像信号に対してエッジ検出を行うことを特徴とする請求項１乃至５のいずれか１項に記載の撮像装置。
【請求項８】
前記表示制御手段は、前記撮像手段から出力されるＲＡＷデータの映像信号の解像度と前記表示手段の解像度とを比較し、前記表示手段の解像度が前記映像信号の解像度に比べて小さくなるにしたがって、表示するエッジ強度を大きくすることを特徴とする請求項７に記載の撮像装置。
【請求項９】
被写体の光学像を映像信号に変換する撮像ステップと、
前記撮像ステップで取得した映像信号の映像を表示手段に表示する表示ステップと、  前記光学像を取得する際の被写界深度を算出する算出ステップと、
前記算出ステップで算出された被写界深度に応じて、前記撮像ステップで得られる映像に含まれる被写体のエッジを検出するための周波数帯域を決定する帯域決定ステップと、  前記帯域決定ステップで決定された周波数帯域に基づき、前記撮像ステップで得られる映像信号からエッジ成分を検出するエッジ検出ステップと、
前記表示ステップにおいて前記表示手段に表示される映像に対して前記エッジ検出ステップで検出したエッジ成分に基づく合焦表示を行う表示制御ステップと、を有し、
前記帯域決定ステップでは、前記周波数帯域を前記被写界深度が深い場合に狭め、前記被写界深度が浅い場合に広げ、
前記表示制御ステップでは、前記表示手段に表示される映像に合焦領域を示す枠を重畳表示することにより前記合焦表示を行うかまたは前記表示手段に表示される映像中の合焦領域にある被写体のエッジを強調表示することにより前記合焦表示を行うことを特徴とする画像処理方法。
【請求項１０】
前記光学像を取得する際の被写界深度を決定する要素の設定を変更する変更ステップを有し、
前記算出ステップでは、前記変更ステップで変更された設定を取得して前記被写界深度を算出することを特徴とする請求項９に記載の画像処理方法。
【請求項１１】
請求項９又は１０に記載の画像処理方法をコンピュータに実行させることを特徴とするプログラム。
【発明の詳細な説明】
【技術分野】
【０００１】
本発明は、撮像装置、画像処理方法及びプログラムに関し、特に、撮像装置でのマニュアルフォーカス調整時の補助機能に関する。
【背景技術】
【０００２】
近年、４Ｋ／２Ｋ等の超高精細な動画の撮影が可能なカムコーダの普及が進んでおり、このようなカムコーダでは、従来よりも高精度なピント調整機能が求められている。そこで、撮影者によるピント調整操作の補助機能として、撮影中の映像を小型パネルや電子ビューファインダに表示する際に、所定値以上のエッジ成分が検出された箇所にエッジ成分を色付けして重畳表示する機能が提案されている（特許文献１参照）。また、位相差情報を得ることができる焦点検出用の画素列を含む撮像素子を用いる方法も提案されている。具体的には、撮影中の各画素から焦点調節状態を検出し、被写体が被写界深度内に入っているか否かを判定し、その判定結果を小型パネル等に表示する技術が提案されている（特許文献２参照）。
【先行技術文献】
【特許文献】
【０００３】
【特許文献１】特開２００７−６０３２８号公報
【特許文献２】特開２０１２−８３５８４号公報
【発明の概要】
【発明が解決しようとする課題】
【０００４】
しかし、上記特許文献１に記載された技術では、被写界深度が浅い場合に高周波域のエッジ成分を対象としてエッジ検出を行ってしまうと、合焦であると判定される領域が極端に狭くなってしまう。したがって、この状態で被写体に追従してマニュアルでフォーカスを合わせようとすると、被写体が少し動くだけで表示されていた合焦状態を表す色が消えてしまうため、合焦（撮影）操作が難しくなってしまう。
【０００５】
また、上記特許文献２に記載された技術では、被写界深度が深い場合に、被写界深度の中の特定の被写体に特にフォーカスを合わせたいという要求があっても、その被写体が被写界深度の中にあるという情報しか表示されず、この要求を満たすことができない。
【０００６】
本発明は、被写界深度に依存することなく、撮影者によるマニュアルフォーカス調整を補助することができる技術を提供することを目的とする。
【課題を解決するための手段】
【０００７】
本発明に係る撮像装置は、被写体の光学像を映像信号に変換する撮像手段と、前記撮像手段から出力される映像信号の映像を表示する表示手段と、前記撮像手段が光学像を取得する際の被写界深度を算出する算出手段と、前記算出手段が算出した被写界深度に応じて、前記撮像手段から得られる映像に含まれる被写体のエッジを検出するための周波数帯域を決定する帯域決定手段と、前記帯域決定手段により決定された周波数帯域に基づき、前記撮像手段から取得した映像信号からエッジ成分を検出するエッジ検出手段と、前記表示手段に表示される前記映像に対して前記エッジ検出手段が検出したエッジ成分に基づく合焦表示を行う表示制御手段と、を備え、前記帯域決定手段は、前記周波数帯域を前記被写界深度が深い場合に狭め、前記被写界深度が浅い場合に広げることを特徴とする。
【発明の効果】
【０００８】
本発明によれば、合焦状態の判定に用いるエッジ成分を検出するための周波数帯域を被写界深度に応じて変化させる。これにより、被写界深度によって極端に合焦状態を示し難くなってしまうことや逆に示し過ぎてしまうことを抑制して、撮影者のマニュアルフォーカス調整を被写界深度に依存することなく補助することができる。
【図面の簡単な説明】
【０００９】
【図１】本発明の実施形態に係る撮像装置の最小構成を示すブロック図である。
【図２】本発明の第１実施形態に係る撮像装置の概略構成を示すブロック図である。
【図３】図２の撮像装置が備える帯域決定部の被写界深度が深い場合の動作を模式的に説明する図である。
【図４】図２の撮像装置が備える帯域決定部の被写界深度が浅い場合の動作を模式的に説明する図である。
【図５】図２の撮像装置の表示部に合焦状態を表示した例を示す図である。
【図６】本発明の第２実施形態に係る撮像装置の概略構成を示すブロック図である。
【図７】図６の撮像装置の表示部に合焦状態を表示した例を示す図である。
【発明を実施するための形態】
【００１０】
以下、本発明の実施形態について添付図面を参照して詳細に説明する。
【００１１】
＜撮像装置の最小構成＞
図１は、本発明の実施形態に係る撮像装置１００の最小構成を示すブロック図である。撮像装置１００は、具体的には、主に動画撮影に用いられるデジタルビデオカメラである。撮像装置１００は、制御部１０１及びレンズ鏡筒１０３を備え、レンズ鏡筒１０３は、被写界深度を決定する要素であるズームレンズ１０４、フォーカスレンズ１０５及びアイリス１０６を含む。また、撮像装置１００は、撮像素子１０７、信号処理部１１０、被写界深度算出部１１１、エッジ検出周波数帯域決定部１１２（以下「帯域決定部１１２」と略記する）、エッジ検出部１１３及び表示部１１７を備える。なお、撮像装置１００の各構成要素は、後述する第１実施形態に係る撮像装置２００の構成要素でもあるため、各構成要素の詳細な説明は撮像装置２００について説明する際に行うこととし、ここでは、撮像装置１００の動作概要について説明する。
【００１２】
撮像装置１００では、レンズ鏡筒１０３を通った光が撮像素子１０７に結像し、撮像素子１０７による光電変換によって撮像素子１０７から出力される映像信号は、エッジ検出部１１３と表示部１１７へ送られる。制御部１０１は、被写界深度を算出する被写界深度算出部１１１へ制御情報を提供し、被写界深度算出部１１１が算出した被写界深度は、帯域決定部１１２へ供給される。
【００１３】
帯域決定部１１２は、取得した被写界深度に対応するエッジ検出周波数帯域を決定し、決定したエッジ検出周波数帯域をエッジ検出部１１３へ通知する。エッジ検出部１１３は、帯域決定部１１２によって決定されたエッジ検出周波数帯域に基づき、撮像素子１０７によって得られた映像に対してエッジ検出を行い、その結果を表示部１１７へ送る。表示部１１７は、液晶ディスプレイや有機ＥＬディスプレイ等の小型表示装置を有し、表示部１１７には、撮像素子１０７から得られた映像とエッジ検出部１１３で得られたエッジ検出結果に基づいて合焦状態が表示される。
【００１４】
＜第１実施形態＞
図２は、本発明の第１実施形態に係る撮像装置２００の概略構成を示すブロック図である。なお、撮像装置２００の構成要素のうち、図１に示した撮像装置１００の構成要素と同じものについては、同じ符号を付すこととする。
【００１５】
撮像装置２００は、制御部１０１、レンズ鏡筒１０３、操作部２０２及び撮像部２０９を備える。レンズ鏡筒１０３は、ズームレンズ１０４、フォーカスレンズ１０５及びアイリス１０６を含む。撮像部２０９は、撮像素子１０７及びアナログフロントエンド（ＡＦＥ）２０８を含む。また、撮像装置１００は、信号処理部１１０、被写界深度算出部１１１、帯域決定部１１２、エッジ検出部１１３、表示部１１７、記憶部２１４、合焦判定部２１５、主被写体検出部２１６及び表示信号縮小処理部２１８を備える。
【００１６】
制御部１０１は、不図示のＣＰＵ及びメモリを有する。制御部１０１は、ＣＰＵがメモリに格納されたプログラムを展開、実行し、撮像装置１００を構成する各部の動作を統括的に制御することによって、撮像装置１００の全体的な動作を制御する。操作部２０２は、撮影者からの各種の操作を受け付けるボタンやスイッチからなる。制御部１０１は、自動露出結果や操作部２０２を通じて撮影者が入力した撮影条件に基づいて、レンズ鏡筒１０３を構成するズームレンズ１０４、フォーカスレンズ１０５及びアイリス１０６を調整する。なお、ズームレンズ１０４の位置を制御することによって、光学ズームによる撮影画角の調整を行うことができる。
【００１７】
被写体からの光がレンズ鏡筒１０３に入射し、レンズ鏡筒１０３を通過した入射光は、撮像素子１０７に結像する。撮像素子１０７は、具体的には、ＣＭＯＳセンサ或いはＣＣＤセンサ等である。撮像素子１０７は、制御部１０１で定められたシャッタスピード、フレームレートで、結像した被写体の光学像を光電変換し、アナログ電気信号を出力する。このとき、撮像装置２００では、撮像素子１０７の部分的な領域を拡大して画角を調整するデジタルズーム機能を発揮させることができるように、制御部１０１が撮像素子１０７の駆動を制御可能な構成となっている。なお、デジタルズーム機能は、被写界深度を決定する要素の１つである。撮像素子１０７から出力されたアナログ電気信号はＡＦＥ２０８に入力され、そこでＡ／Ｄ変換されて、デジタル信号化された映像信号がＡＦＥ２０８から信号処理部１１０へ送られる。
【００１８】
信号処理部１１０は、取得した映像信号に対してゲイン回路（不図示）での増幅処理、補正回路（不図示）での各種補正処理、ＮＲ回路（不図示）でのノイズリダクション処理等を施す。信号処理部１１０で各種の信号処理が施された映像信号は、信号処理部１１０から出力されて、表示信号縮小処理部２１８、エッジ検出部１１３、記憶部２１４へ入力される。記憶部２１４は、信号処理部１１０から受信した映像信号を、制御部１０１から指定されたデータフォーマットに変換し、ハードディスクやメモリカード等の記憶媒体（不図示）に記憶する。
【００１９】
制御部１０１は、レンズ鏡筒１０３の各種設定値を被写界深度算出部１１１へ通知する。被写界深度算出部１１１は、レンズ鏡筒１０３の設定値から被写界深度を算出する。被写界深度は、許容錯乱円を“ｄ”、絞り値（Ｆ値）を“Ｆ”、ピント位置（ｍｍ）を“ａ”、レンズの焦点距離（ｍｍ）を“ｆ”として、下記式（１）により算出することができる。
【００２０】
ここで、許容錯乱円ｄは、撮像素子１０７のサイズから決まるため、撮影条件には含まれない。簡単のためにｄ＝１とすると、被写界深度と撮影条件である焦点距離（ズーム設定値）、ピント位置（フォーカス設定値）、絞り値（アイリス設定値）それぞれの関係は、下記式（２）で表される。
【００２１】
【数１】
0006516426.tif 000002
【００２２】
被写界深度算出部１１１において算出された被写界深度は、帯域決定部１１２へ送られ、帯域決定部１１２は、予め設定した基本的な周波数帯域（以下「基本周波数帯域」と称呼する）に基づき、エッジ検出周波数帯域を決定する。基本周波数帯域は、撮像素子１０７のサイズから定まる上記の式（１）の許容錯乱円ｄや、記憶部２１４に記憶される映像の解像度（映像を構成するフレームの解像度）から決定される最も高い周波数帯域であることが望ましい。これは、撮影される映像に応じて、表現可能な高周波数成分に合わせるためである。
【００２３】
帯域決定部１１２は、取得した被写界深度に応じて、基本周波数帯域から低帯域側へ帯域を広げる。ここで、被写界深度と帯域拡張の比例関係は、被写界深度が深い場合に帯域を狭め、被写界深度が浅い場合に帯域を広げる関係とする。この比例関係について、図３及び図４を参照して説明する。なお、図３では、合焦領域に被写体枠を表示する例について説明し、図４では、合焦領域内の主被写体をピーキング表示する例を取り上げる。但し、図３の合焦領域にある主被写体をピーキング表示することができ、また、図４の合焦領域に被写体枠を表示することができる。
【００２４】
図３は、被写界深度が深い場合の帯域決定部１１２の動作を模式的に示す図である。図３（ａ）は参考例であり、図３（ｂ）は本実施形態に係る動作例である。図３の各図は、左側に撮像装置があり、撮像装置からの距離が徐々に遠くなるように人物３０１，３０２，３０３，３０４，３０５が立っているという構図を模式的に示している。
【００２５】
図３（ａ）の参考例では、広帯域の周波数を対象としてエッジ検出を行っており、周波数成分量が低周波成分を含めて予め定めた閾値Ｔｈよりも大きい範囲を合焦状態の表示に用いている。そのため、合焦表示領域Ｊ１内の、撮像装置からの距離が異なる複数人（人物３０２〜３０４）のエッジが検出される。その結果、特に３番目の人物３０３にピントの中心を合わせたいと撮影者が意図しても、その前後の人物３０２，３０４からもエッジが検出されてしまい、人物３０３のみにピントを合わせることは難しい。
【００２６】
そこで、本実施形態では、図３（ｂ）に示すように、被写界深度が深い場合には、合焦状態を表示するために行うエッジ検出の対象周波数を高周波側の狭帯域に絞る。これにより、合焦表示領域Ｊ２には、人物３０２，３０４が入らなくなり、撮影者は、目的とする人物３０３にピントを合わせやすくなる。
【００２７】
なお、合焦表示領域Ｊ２が、後述する図５に示す被写体枠５０１として、主被写体に対して表示部１１７にて重畳表示されることになる。また、合焦表示領域Ｊ２に対して被写体枠５０１を表示する代わりに、図６，７を参照して説明するように、合焦表示領域Ｊ２内の被写体についてピーキング表示を行ってもよい。
【００２８】
図４は、被写界深度が浅い場合の帯域決定部１１２の動作を模式的に示す図である。図４（ａ）は参考例であり、図４（ｂ）は本実施形態に係る動作例である。図３の各図は、左側に撮像装置があり、撮像装置からの距離が徐々に遠くなるように鳥４０１，４０２，４０３，４０４，４０５が存在している構図を模式的に示している。
【００２９】
図４（ａ）の参考例では、高周波側の狭帯域の周波数を対象としてエッジ検出を行っており、その結果を被写体のエッジを強調して表示するピーキング表示に用いた場合には、ピーキング表示領域Ｋ１に存在する３番目の鳥４０３の一部分のみからエッジが検出される。そのため、３番目の鳥４０３にピントを合わせておきたいと撮影者が意図しても、鳥４０３が少し動くだけでピーキング表示が消えてしまい、鳥４０３に対してピントを合わせ続けることは撮影者にとって容易ではない。
【００３０】
そこで、本実施形態では、図４（ｂ）に示すように、被写界深度が浅い場合には、合焦状態を表示するために行うエッジ検出の対象周波数を広帯域に広げる。これにより、ピーキング表示領域Ｋ２には概ね鳥４０３の全体が入るようになり、撮影者は、目的とする鳥４０３に対してピントを合わせ続けることが容易になる。
【００３１】
なお、ピーキング表示領域Ｋ２内で、主被写体に対して後述する図７に示すようなエッジを強調するピーキング表示が行われることになる。また、図４では、合焦領域にある被写体に対してピーキング表示を行う例について説明したが、これに代えて、ピーキング表示領域Ｋ２内の主被写体に対して、図５を参照して説明する被写体枠５０１を表示するようにしてもよい。
【００３２】
図２の説明に戻る。エッジ検出部１１３は、信号処理部１１０から取得した映像信号に対して、帯域決定部１１２で決定された周波数帯域のエッジ検出を行う。ここで、エッジ検出部１１３は、記憶部２１４に映像を記憶するための設定条件に対応した映像信号からエッジ検出を行う。こうして記憶映像と同様の周波数帯域から合焦状態を検出することによって、記憶映像が撮影意図とはニュアンスの違った映像となってしまうことを防止することができる。エッジ検出部１１３は、検出したエッジ情報を合焦判定部２１５へ送る。
【００３３】
主被写体検出部２１６は、信号処理部１１０から取得した映像信号から、例えば、映像中の人物の顔等を主被写体の１つとして検出する。また、撮影者が操作部２０２を介して映像中の被写体を指定した場合には、制御部１０１は、指定された主被写体の検出を主被写体検出部２１６に指示し、主被写体検出部２１６は、指示された主被写体を検出する。主被写体検出部２１６は、こうして検出した主被写体の位置情報を表示部１１７へ送る。
【００３４】
表示信号縮小処理部２１８は、信号処理部１１０から取得した映像信号を表示部１１７に対応した解像度の映像信号へと縮小処理し、縮小された映像信号を表示部１１７へ送る。表示部１１７は、制御部１０１の制御下において、主被写体検出部２１６から取得した主被写体の位置情報と表示信号縮小処理部２１８から取得した映像信号との位置関係を調整し、映像中の主被写体の位置に合焦状態を表示する。
【００３５】
図５は、映像中の主被写体の位置に合焦状態を表示部１１７に表示する表示制御の例を示す図である。表示部１１７には、映像中の中央の子供が主被写体であるとの検出結果に基づいて、その顔部分に被写体枠５０１が重畳表示された状態が示されている。また、表示部１１７の画面右下部には「被写体枠部分が合焦しています」とのメッセージ５０２が表示されている。よって、撮影者は、メッセージ５０２により被写体枠５０１にある子供にフォーカスが合っていることを容易に認識することができる。
【００３６】
こうして、撮影者は、マニュアルフォーカス調整を行う際に、被写界深度が深く、複数の被写体が映り込んでいる場合でも、被写体枠５０１を参考にして目的とする主被写体に容易にピントを合わせることができる。一方、撮影者は、被写界深度が浅い場合でも、合焦状態を表示する範囲が狭くなり過ぎることがなく、被写体枠５０１には一定の面積が確保されるために、主被写体に対してピントを合わせ続けやすくなる。
【００３７】
＜第２実施形態＞
第１実施形態では、撮影映像に合焦領域を示す被写体枠５０１を表示することによって、撮影者のマニュアルフォーカス調整を補助した。これに対して、第２実施形態では、撮影映像中で合焦状態にある被写体のエッジを強調表示することによって、撮影者のマニュアルフォーカス調整を補助する。
【００３８】
図６は、本発明の第２実施形態に係る撮像装置６００の概略構成を示すブロック図である。なお、撮像装置６００の構成要素のうち、図２に示した撮像装置２００の構成要素と同じものについては、同じ符号を付して、重複する説明を省略することとする。
【００３９】
撮像装置６００は、第１実施形態に係る撮像装置２００と比較すると、合焦判定部２１５及び主被写体検出部２１６を備えておらず、その一方で、エッジ表示強度決定部６１９を備えている点で相違している。このような相違に起因して、撮像装置６００では、エッジ検出部１１３へは、撮像部２０９から出力される映像信号、つまり、信号処理部１１０での各種処理が行われていない映像信号であるＲＡＷデータが供給される構成としている。従って、エッジ検出部１１３は、フィルタ処理やリサイズ処理等の被写体の周波数成分が失われる前の映像信号から、帯域決定部１１２で決定された周波数帯域のエッジ成分を検出する。なお、帯域決定部１１２は、第１実施形態と同様に、図３及び図４を参照して説明した方法で、エッジ検出を行う周波数帯域を被写界深度に応じて決定する。
【００４０】
これにより、撮像装置６００のレンズ鏡筒１０３や撮像素子１０７の性能によって決定される最も高い周波数帯域を用いてエッジ検出を行い、マニュアルフォーカス調整補助に用いることができる。つまり、より厳密なマニュアルフォーカス調整のための補助情報を撮影者に提供することができる。エッジ検出部１１３は、エッジ検出結果を表示部１１７へ送る。
【００４１】
エッジ表示強度決定部６１９は、制御部１０１から表示部１１７の表示解像度を取得する。なお、表示部１１７の表示解像度は、エッジ表示強度決定部６１９に予め組み込まれていてもよい。エッジ表示強度決定部６１９は、取得した表示解像度と撮像部２０９から出力されるＲＡＷデータの映像信号とを比較し、その比較結果に基づいて、表示部１１７において合焦状態を示すエッジ強度を変更する。具体的には、撮像部２０９から出力される映像信号の解像度は、表示解像度の解像度よりも大きい最大の解像度であるため、表示部１１７の表示解像度がエッジ検出に用いる映像信号の解像度に比べて小さくなるにしたがって、表示するエッジ強度を大きくする。これにより、エッジ成分を表示解像度の映像信号に合わせて縮小して位置合わせを行ったときに、部分的に該当場所（画素）がなくなってエッジが途切れてしまい或いは無くなってしまうことを防ぐことができる。エッジ表示強度決定部６１９は、決定したエッジ表示強度を表示部１１７へ送る。
【００４２】
表示部１１７へは、表示信号縮小処理部２１８からの映像信号と、エッジ検出部１１３からのエッジ信号と、エッジ表示強度決定部６１９からのエッジ強度とが供給される。表示部１１７は、取得した映像信号に対してエッジ信号を重畳表示するための位置合わせを行うと共に、重畳表示するエッジ信号の強弱をエッジ表示強度決定部６１９から供給されたエッジ強度に基づいて決定する。ここで、エッジ信号の強弱は、エッジ信号の増幅量によって設定してもよいし、表示を決定する周波数成分の閾値の上下の値で設定してもよい。また、エッジ成分は、撮影者による視認が容易となるように、所定の色を付ける等して表示されるようにしてもよい。その結果、表示部１１７に、映像信号と重畳して合焦状態にある被写体のエッジ成分を強調表示することができる。
【００４３】
図７は、撮像装置６００の表示部１１７に合焦状態を表示する表示制御の例を模式的に示す図である。子供７０１、父親７０２及び母親７０３のうち、子供７０１に合焦しており、子供７０１のエッジが濃く表示される一方で、合焦状態にない父親７０２と母親７０３のエッジが薄く表示されることで、子供７０１のエッジが強調される表示がなされている。
【００４４】
撮影者は、マニュアルフォーカス調整を行う際に、被写界深度が深く、複数の被写体が映り込んでいる場合でも、映像中でエッジが濃く表示されている領域を参考にして目的とする被写体に容易にピントを合わせることができる。また、撮影者は、被写界深度が浅い場合でも、エッジが強調表示される範囲が狭くなり過ぎることがなく、一定の面積が確保されるため、目的とする被写体に対してピントを合わせ続けやすくなる。このとき、レンズ鏡筒１０３や撮像素子１０７の性能によって決定される最も高い周波数帯域を用いてエッジ検出を行っているため、映像の記憶設定に因らず、厳密なピント調整の補助が可能になる。
【００４５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【００４６】
例えば、上記説明では、本発明に係る撮像装置の一例としてデジタルビデオカメラを取り上げ、動画撮影を行うことを前提としたが、静止画撮影の際の合焦状態の表示にも、上記実施形態に係る合焦領域の表示方法を用いることができる。また、本発明に係る撮像装置は、デジタルビデオカメラに限定されるものではなく、撮影機能を有するデジタルスチルカメラや、カメラ機能を備える各種の電子機器にも適用することができる。ここで、各種の電子機器としては、カメラ付きの携帯通信端末や携帯ゲーム機、タブレットコンピュータ等の携帯型パーソナルコンピュータが挙げることができる。
【００４７】
また、本発明に係る撮像装置は、デジタルビデオカメラのように、カメラ部と、カメラ部で撮影した映像信号を処理する機器本体とが一体のものに限られず、カメラ部と画像処理を行う機器とが別体の構成となっていてもよい。この場合、カメラ部と機器との間の情報伝達は、有線で行われるか又は無線で行われるかを問わず、また、カメラ部と機器とが直接接続されているか又はネットワークを介して間接的に接続されているかも問わない。
【符号の説明】
【００４８】
１０１    制御部
１０３    レンズ鏡筒
１０４    ズームレンズ
１０５    フォーカスレンズ
１０６    アイリス
１０７    撮像素子
１１０    信号処理部
１１１    被写界深度算出部
１１２    エッジ検出周波数帯域決定部
１１３    エッジ検出部
１１７    表示部
２１４    記憶部
２１５    合焦判定部
２１６    主被写体検出部
２１８    表示信号縮小処理部
６１９    エッジ表示強度決定部
【図１】
0006516426.tif 000003
【図２】
0006516426.tif 000004
【図３】
0006516426.tif 000005
【図４】
0006516426.tif 000006
【図５】
0006516426.tif 000007
【図６】
0006516426.tif 000008
【図７】
0006516426.tif 000009